(57)【要約】【課題】  既存の雑誌のような購読の楽しみを維持しつつ、ウェブサイトを介した情報取得の利便を提供する。【解決手段】  ウェブサイト提供システムは、ユーザが所持する情報処理端末機と、この情報処理端末機のアクセス対象としてのウェブサイトを開設しているウェブサーバとを備える。ウェブサーバは、物理的な紙媒体からなる１つの雑誌を構成する各ページの内容と同様の構成からなる複数のウェブページを定期的に刊行して格納しており、情報処理端末機からの要求に応じて、複数のウェブページを当該情報処理端末機の表示部に表示させる。【選択図】  図５
2008123009.tif 000002
【特許請求の範囲】
【請求項１】
所定のウェブサイトを提供するウェブサイト提供システムであって、
ユーザが所持する情報処理端末機と、
上記情報処理端末機のアクセス対象としてのウェブサイトを開設しているウェブサーバとを備え、
上記ウェブサーバは、物理的な紙媒体からなる１つの雑誌を構成する各ページの内容と同様の構成からなる複数のウェブページを定期的に刊行して格納しており、上記情報処理端末機からの要求に応じて、複数の上記ウェブページを当該情報処理端末機の表示手段に表示させること
を特徴とするウェブサイト提供システム。
【請求項２】
上記ウェブサーバは、上記雑誌をページ毎に手めくりするのと同様の視覚効果を付与しながら当該情報処理端末機の表示手段に上記ウェブページを表示させること
を特徴とする請求項１記載のウェブサイト提供システム。
【請求項３】
上記ウェブサーバは、上記情報処理端末機からの要求に応じて、複数の上記ウェブページを結合して１つのファイルを作成し、作成したファイルを当該情報処理端末機に対してダウンロードすること
を特徴とする請求項１記載のウェブサイト提供システム。
【請求項４】
上記ウェブサーバは、過去に刊行したバックナンバーを構成する複数の上記ウェブページを結合して作成した１つのファイルを格納しており、上記情報処理端末機からの要求に応じて、格納しているファイルを当該情報処理端末機に対してダウンロードすること
を特徴とする請求項３記載のウェブサイト提供システム。
【請求項５】
複数の上記ウェブページのうち少なくとも１ページは、上記雑誌の内容を見出し書きした目次用ウェブページであり、
上記ウェブサーバは、上記情報処理端末機を介して上記目次用ウェブページに掲載された各目次項目が選択されるのに応じて、選択された目次項目に該当するウェブページを当該情報処理端末機の表示手段に表示させること
を特徴とする請求項１記載のウェブサイト提供システム。
【請求項６】
上記ウェブサーバは、上記ウェブページの最新号が刊行された旨を上記情報処理端末機に対して通知すること
を特徴とする請求項１記載のウェブサイト提供システム。
【請求項７】
上記ウェブサーバは、上記ユーザに関する情報を登録しており、上記情報処理端末機を介してアンケート及び／又は景品応募がなされるのに応じて、登録された上記ユーザに関する情報を参照すること
を特徴とする請求項１記載のウェブサイト提供システム。
【請求項８】
所定のウェブサイトを提供するウェブサイト提供方法であって、
ユーザが所持する情報処理端末機のアクセス対象としてのウェブサイトを開設し、物理的な紙媒体からなる１つの雑誌を構成する各ページの内容と同様の構成からなる複数のウェブページを定期的に刊行して格納しているウェブサーバに対して、当該情報処理端末機がアクセスする工程と、
上記情報処理端末機からの要求に応じて、複数の上記ウェブページを当該情報処理端末機の表示手段に表示させる工程とを備えること
を特徴とするウェブサイト提供方法。
【請求項９】
情報処理端末機のアクセス対象としてのウェブサイトを開設しているサーバ装置であって、
物理的な紙媒体からなる１つの雑誌を構成する各ページの内容と同様の構成からなる複数のウェブページを定期的に刊行して格納する格納手段と、
上記情報処理端末機からの要求に応じて、上記格納手段に格納された複数の上記ウェブページを当該情報処理端末機の表示手段に表示させる表示制御手段とを備えること
を特徴とするサーバ装置。
【請求項１０】
上記表示制御手段は、上記雑誌をページ毎に手めくりするのと同様の視覚効果を付与しながら当該情報処理端末機の表示手段に上記ウェブページを表示させること
を特徴とする請求項９記載のサーバ装置。
【請求項１１】
上記情報処理端末機からの要求に応じて、複数の上記ウェブページを結合して１つのファイルを作成するファイル作成手段と、
上記ファイル作成手段によって作成したファイルを上記情報処理端末機に対してダウンロードするダウンロード手段とを備えること
を特徴とする請求項９記載のサーバ装置。
【請求項１２】
上記ファイル作成手段は、過去に刊行したバックナンバーを構成する複数の上記ウェブページを結合して１つのファイルを作成して上記格納手段に格納しておき、
上記ダウンロード手段は、上記情報処理端末機からの要求に応じて、上記格納手段に格納しているファイルを当該情報処理端末機に対してダウンロードすること
を特徴とする請求項１１記載のサーバ装置。
【請求項１３】
複数の上記ウェブページのうち少なくとも１ページは、上記雑誌の内容を見出し書きした目次用ウェブページであり、
上記表示制御手段は、上記情報処理端末機を介して上記目次用ウェブページに掲載された各目次項目が選択されるのに応じて、選択された目次項目に該当するウェブページを当該情報処理端末機の表示手段に表示させること
を特徴とする請求項９記載のサーバ装置。
【請求項１４】
上記ウェブページの最新号が刊行された旨を上記情報処理端末機に対して通知する通知手段を備えること
を特徴とする請求項９記載のサーバ装置。
【請求項１５】
上記ユーザに関する情報を登録する登録手段と、
上記情報処理端末機を介してアンケート及び／又は景品応募がなされるのに応じて、上記登録手段によって登録された上記ユーザに関する情報を参照する参照手段とを備えること
を特徴とする請求項９記載のサーバ装置。
【発明の詳細な説明】
【技術分野】
【０００１】
本発明は、所定のウェブサイトを提供するウェブサイト提供システム及びウェブサイト提供方法、並びにこのウェブサイト提供システムに用いられるサーバ装置に関する。
【背景技術】
【０００２】
従来から、情報を取得するための手段として、物理的な紙媒体としての雑誌が提供されている。雑誌は、ある程度決められたジャンルにおける新たな内容を定期的に紹介することを目的としており、特定の情報を受動的に取得するのに極めて適していることから、特に若者や女性の間では依然として顕著な普及率を保持している。
【０００３】
一方、近年では、パーソナルコンピュータをはじめとする情報処理装置、及びインターネットをはじめとするネットワーク技術の著しい普及にともない、様々なコンテンツを掲載したウェブサイトを介して極めて多様な情報を取得することが可能となっている。
【発明の開示】
【発明が解決しようとする課題】
【０００４】
ところで、ウェブサイトは、雑誌のように、ある程度決められたジャンルにおける新たな内容を定期的に紹介する性格のものではない。そのため、ウェブサイトを介した情報取得は、雑誌のような購読の楽しみをともなうものではなかった。また、ウェブサイトを介して情報を取得するにあたっては、検索ツールを用いたキーワード検索等を要することになるため、検索結果が多量となる場合が多く、却って所望の情報を得るのが困難となる場合もあった。
【０００５】
本発明は、このような実情に鑑みてなされたものであり、既存の雑誌のような購読の楽しみを維持しつつ、ウェブサイトを介した情報取得の利便を提供することができるウェブサイト提供システム及びウェブサイト提供方法、並びにこのウェブサイト提供システムに用いられるサーバ装置を提供することを目的とする。
【課題を解決するための手段】
【０００６】
上述した目的を達成する本発明にかかるウェブサイト提供システムは、所定のウェブサイトを提供するウェブサイト提供システムであって、ユーザが所持する情報処理端末機と、上記情報処理端末機のアクセス対象としてのウェブサイトを開設しているウェブサーバとを備え、上記ウェブサーバは、物理的な紙媒体からなる１つの雑誌を構成する各ページの内容と同様の構成からなる複数のウェブページを定期的に刊行して格納しており、上記情報処理端末機からの要求に応じて、複数の上記ウェブページを当該情報処理端末機の表示手段に表示させることを特徴としている。
【０００７】
このような本発明にかかるウェブサイト提供システムにおいては、１つの雑誌を構成する各ページの内容と同様の構成からなるウェブページを定期的に刊行し、情報処理端末機に対して閲覧可能に提供することにより、既存の雑誌のようにある程度決められたジャンルにおける新たな内容を定期的に紹介することができる。
【０００８】
ここで、上記ウェブサーバは、物理的な紙媒体からなる既存の雑誌を閲覧しているのと同様の感覚をユーザに与えるために、上記雑誌をページ毎に手めくりするのと同様の視覚効果を付与しながら当該情報処理端末機の表示手段に上記ウェブページを表示させるのが望ましい。
【０００９】
また、上記ウェブサーバは、上記情報処理端末機からの要求に応じて、複数の上記ウェブページを結合して１つのファイルを作成し、作成したファイルを当該情報処理端末機に対してダウンロードするようにしてもよい。これにより、本発明にかかるウェブサイト提供システムにおいては、ユーザがオフライン時であっても利便を享受することが可能となり、また、ユーザが必要に応じて、気に入った記事等をスクラップするかのような操作を行うことも可能となり、使用形態の拡大にともなう利用回数の増加を図ることができる。
【００１０】
このとき、上記ウェブサーバは、過去に刊行したバックナンバーを構成する複数の上記ウェブページを結合して作成した１つのファイルを格納しており、上記情報処理端末機からの要求に応じて、格納しているファイルを当該情報処理端末機に対してダウンロードするのも望ましい。これにより、本発明にかかるウェブサイト提供システムにおいては、購入した雑誌を収納する本棚のような役割をウェブサーバにもたせることができ、ユーザにとっては雑誌を収納する空間を確保することなく、バックナンバーを好きなときに閲覧可能に保持しているのと同様の環境を提供することが可能となる。
【００１１】
なお、複数の上記ウェブページのうち少なくとも１ページは、上記雑誌の内容を見出し書きした目次用ウェブページとして構成される。そして、上記ウェブサーバは、上記情報処理端末機を介して上記目次用ウェブページに掲載された各目次項目が選択されるのに応じて、選択された目次項目に該当するウェブページを当該情報処理端末機の表示手段に表示させる。これにより、本発明にかかるウェブサイト提供システムにおいては、ユーザがウェブページの内容を直感的に把握しやすくなり、所望の記事等を迅速に閲覧することが可能となる。
【００１２】
さらに、上記ウェブサーバは、上記ウェブページの最新号が刊行された旨を上記情報処理端末機に対して通知するのが望ましい。これにより、本発明にかかるウェブサイト提供システムにおいては、ユーザが自発的にウェブサイトにアクセスして閲覧する必要がなくなり、ユーザの便宜を向上させることができる。
【００１３】
さらにまた、上記ウェブサーバは、上記ユーザに関する情報を登録しており、上記情報処理端末機を介してアンケート及び／又は景品応募がなされるのに応じて、登録された上記ユーザに関する情報を参照する。このように、本発明にかかるウェブサイト提供システムにおいては、ウェブサーバによって登録されたユーザに関する情報を参照することにより、既存の雑誌であれば、アンケートへの回答やプレゼントや懸賞等の景品応募を行う際に、その都度、当該雑誌に付属しているハガキに記入したり、当該雑誌に記載されているアドレスを入力することによってアンケートへの回答や景品応募を行うためのウェブサイトにアクセスしたりする必要があるところ、そのような作業をユーザに強いることなく、付加的なサービスを当該ユーザに提供することができる。
【００１４】
また、上述した目的を達成する本発明にかかるウェブサイト提供方法は、所定のウェブサイトを提供するウェブサイト提供方法であって、ユーザが所持する情報処理端末機のアクセス対象としてのウェブサイトを開設し、物理的な紙媒体からなる１つの雑誌を構成する各ページの内容と同様の構成からなる複数のウェブページを定期的に刊行して格納しているウェブサーバに対して、当該情報処理端末機がアクセスする工程と、上記情報処理端末機からの要求に応じて、複数の上記ウェブページを当該情報処理端末機の表示手段に表示させる工程とを備えることを特徴としている。
【００１５】
さらに、上述した目的を達成する本発明にかかるサーバ装置は、情報処理端末機のアクセス対象としてのウェブサイトを開設しているサーバ装置であって、物理的な紙媒体からなる１つの雑誌を構成する各ページの内容と同様の構成からなる複数のウェブページを定期的に刊行して格納する格納手段と、上記情報処理端末機からの要求に応じて、上記格納手段に格納された複数の上記ウェブページを当該情報処理端末機の表示手段に表示させる表示制御手段とを備えることを特徴としている。
【００１６】
このような本発明にかかるウェブサイト提供方法及びサーバ装置においては、１つの雑誌を構成する各ページの内容と同様の構成からなるウェブページを定期的に刊行し、情報処理端末機に対して閲覧可能に提供することにより、既存の雑誌のようにある程度決められたジャンルにおける新たな内容を定期的に紹介することができる。
【発明の効果】
【００１７】
本発明においては、既存の雑誌のようにある程度決められたジャンルにおける新たな内容を定期的に紹介することができることから、雑誌のような購読の楽しみを維持しつつ、ウェブサイトを介して所望の情報を適切に取得する利便をユーザに提供することができる。
【発明を実施するための最良の形態】
【００１８】
以下、本発明を適用した具体的な実施の形態について図面を参照しながら詳細に説明する。
【００１９】
この実施の形態は、所定のウェブサイトを提供するウェブサイト提供システムである。特に、このウェブサイト提供システムは、定期的に刊行される物理的な紙媒体からなる１つの雑誌を構成する各ページの内容と同様の構成からなるウェブページを提供するものである。以下、説明の便宜上、このウェブページを雑誌型ウェブページと称するものとする。
【００２０】
ウェブサイト提供システムは、図１に示すように、ユーザが所持する情報処理端末機１０と、この情報処理端末機１０のアクセス対象としてのウェブサイトを開設しているウェブサーバ２０とを備える。
【００２１】
情報処理端末機１０は、例えば、パーソナルコンピュータの他、携帯電話機や携帯情報端末機（Personal Digital Assistant；ＰＤＡ）等から構成され、ウェブサイトを閲覧するユーザによって操作されるものである。具体的には、情報処理端末機１０は、図２に示すように、各部を統括的に制御するＣＰＵ（Central Processing Unit）１１と、各種プログラムを含む各種情報を格納する読み取り専用のＲＯＭ（Read Only Memory）１２と、ワークエリアとして機能するＲＡＭ（Random Access Memory）１３と、各種情報を読み出し及び／又は書き込み可能に記憶する記憶部１４と、外部のネットワークに接続して通信を行う通信部１５と、ユーザインターフェースとしての図示しない所定の操作デバイスを介した入力操作の処理及び制御を行う入力操作制御部１６と、各種情報を表示する表示部１７とを備える。
【００２２】
ＣＰＵ１１は、記憶部１４等に格納されている各種アプリケーションプログラムをはじめとする各種プログラムを実行し、各部を統括的に制御する。
【００２３】
ＲＯＭ１２は、各種プログラムをはじめとする各種情報を格納している。このＲＯＭ１２に格納されている情報は、ＣＰＵ１１の制御のもとに読み出される。
【００２４】
ＲＡＭ１３は、ＣＰＵ１１が各種プログラムを実行する際のワークエリアとして機能し、ＣＰＵ１１の制御のもとに、各種情報を一時記憶するとともに、記憶している各種情報を読み出す。
【００２５】
記憶部１４は、ＣＰＵ１１の制御のもとに、ウェブサイトを閲覧するためのブラウザアプリケーションプログラムの他、各種画像データや音声データをはじめとする各種情報を記憶するとともに、記憶している各種情報を読み出す。この記憶部１４としては、例えば、ハードディスクや不揮発性メモリ等を用いることができる。また、記憶部１４には、本体に対して着脱可能とされるフレキシブルディスクやメモリカード等の記憶媒体に対して、各種情報の読み出し及び／又は書き込みを行うドライブ装置も含まれる。
【００２６】
通信部１５は、例えば、アナログ回線、いわゆるイーサネット（登録商標）等から構成されるＬＡＮ（Local Area Network）、ＩＳＤＮ（Integrated Services Digital Network）、ＡＤＳＬ（Asymmetric Digital Subscriber Line）、若しくはＦＴＴＨ（Fiber To The Home）等の各種ネットワーク回線、ＩＥＥＥ（Institute of Electrical and Electronic Engineers）８０２．１１に準拠した無線ＬＡＮ若しくはいわゆるブルートゥース（Bluetooth（登録商標））等の各種無線通信方式、又はいわゆるＦＯＭＡ（登録商標）等のＷ−ＣＤＭＡ（Wideband-Code Division Multiple Access）方式若しくはＨＤＲ（High Data Rate）等のＣＤＭＡ−２０００方式といった、各種方式に基づくネットワークに接続するためのインターフェースであり、ＣＰＵ１１の制御のもとに、外部との通信を行う。
【００２７】
入力操作制御部１６は、例えば、キーボード、マウス、キーパッド、赤外線リモートコントローラ、スティックキー、又はプッシュボタンといった、ユーザインターフェースとしての図示しない所定の操作デバイスを介した入力操作を受け付け、操作内容を示す制御信号をＣＰＵ１１に対して供給する。
【００２８】
表示部１７は、例えば、液晶ディスプレイ（Liquid Crystal Display；ＬＣＤ）、プラズマ・ディスプレイ・パネル（Plasma Display Panel；ＰＤＰ）、有機エレクトロルミネッセンス（Organic ElectroLuminescent）ディスプレイ、又はＣＲＴ（Cathode Ray Tube）といった、各種表示デバイスであり、ＣＰＵ１１の制御のもとに、各種画像データや、その他の各種情報を表示する。例えば、表示部１７は、ＣＰＵ１１によってブラウザアプリケーションプログラムが起動されると、その画面を表示する。
【００２９】
このような各部を備える情報処理端末機１０は、ＣＰＵ１１の制御のもとに、ウェブサーバ２０に対してアクセスし、当該ウェブサーバ２０によって提供されるウェブページを閲覧可能に構成される。
【００３０】
ウェブサーバ２０は、情報処理端末機１０によって閲覧可能な各種ウェブサイトを開設する。具体的には、ウェブサーバ２０は、情報処理端末機１０と同様に、物理的には図２に示したような各部を備えるものとして構成される。このようなウェブサーバ２０は、ＨＴＭＬ（HyperText Markup Language）やＸＭＬ（eXtensible Markup Language）等、任意のマークアップ言語を用いて作成される、物理的な紙媒体からなる１つの雑誌を構成する各ページの内容と同様の構成からなる雑誌型ウェブページを、既存の雑誌と同様に、例えば週刊や月刊といった定期的に刊行し、記憶部１４等に複数格納する。そして、ウェブサーバ２０は、ウェブサイトにアクセスしてきた情報処理端末機１０からの要求に応じて、ＣＰＵ１１の制御のもとに、当該ウェブサイトを構成するウェブページを当該情報処理端末機１０の表示部１７に表示させる。
【００３１】
さて、このような情報処理端末機１０及びウェブサーバ２０から構成されるウェブサイト提供システムにおいて、ウェブサーバ２０は、上述したように、定期的に刊行される物理的な紙媒体からなる１つの雑誌を構成する各ページの内容と同様の構成からなる雑誌型ウェブページを格納する。すなわち、ウェブサーバ２０は、作品や記事、画像等を掲載する定期刊行の出版物としての一連のウェブページからなるウェブサイトを開設する。
【００３２】
ここで、ウェブサーバ２０は、雑誌の存在を広く周知させるために、例えば図３に示すように、雑誌の内容を紹介する紹介用ウェブページをあわせて提供する。具体的には、この紹介用ウェブページには、例えば、特集として掲載する内容やその他の内容を示す見出し５１が列挙されて設けられる。また、ウェブサーバ２０は、登録されたユーザに対してのみ、雑誌型ウェブページの閲覧を許可することから、この紹介用ウェブページには、登録されたユーザがログイン操作を行うための入力ボックス５２やログインボタン５３が設けられるとともに、登録されていないユーザが登録操作を行うための登録ボタン５４が設けられる。
【００３３】
ウェブサーバ２０は、ログインされていない状態において紹介用ウェブページにおける見出し５１の各項目が情報処理端末機１０を介して選択された場合には、ＣＰＵ１１の制御のもとに、ログイン操作や登録操作を促す画面へと当該情報処理端末機１０の表示部１７の表示内容を遷移させる。一方、ウェブサーバ２０は、このような紹介用ウェブページを介してログイン操作が行われた場合には、ＣＰＵ１１の制御のもとに、当該雑誌型ウェブページを閲覧させるべく当該情報処理端末機１０の表示部１７の表示内容を遷移させる。
【００３４】
具体的には、ウェブサーバ２０は、例えば図４に示すように、通常市販されている雑誌の表紙と同様の構成からなる表紙用ウェブページを、ＣＰＵ１１の制御のもとに情報処理端末機１０の表示部１７に表示させる。ウェブサーバ２０は、情報処理端末機１０を介して、かかる表紙用ウェブページがクリックされたり、次ページを表示させるための図示しないボタン等が操作されたりするのに応じて、ＣＰＵ１１の制御のもとに、実際の記事等が掲載されたページを含む各ページを当該情報処理端末機１０の表示部１７に表示させる。同様に、ウェブサーバ２０は、情報処理端末機１０を介して各ウェブページがクリックされたり、次ページ又は前ページを表示させるための図示しないボタン等が操作されたりするのに応じて、ＣＰＵ１１の制御のもとに、以降又は以前のページを当該情報処理端末機１０の表示部１７に表示させる。このとき、ウェブサーバ２０は、物理的な紙媒体からなる既存の雑誌を閲覧しているのと同様の感覚をユーザに与えるために、単に各ウェブページを切り替え表示させるのではなく、ＣＰＵ１１の制御のもとに、恰も雑誌をページ毎に手めくりするのと同様の視覚効果を付与したアニメーション表示を行いながら、各ウェブページを情報処理端末機１０の表示部１７に表示させるのが望ましい。
【００３５】
ここで、雑誌型ウェブページを構成する複数のウェブページのうち少なくとも１ページは、例えば図５に示すように、当該雑誌型ウェブページの内容を見出し書きした目次用ウェブページとして構成される。この目次用ウェブページは、通常市販されている雑誌の目次ページと同様に、見出しとしての目次項目が列挙されて構成される。ウェブサーバ２０は、情報処理端末機１０を介して目次用ウェブページに掲載された各目次項目がクリックされるのに応じて、ＣＰＵ１１の制御のもとに、クリックされた目次項目に該当するウェブページを当該情報処理端末機１０の表示部１７に表示させる。すなわち、ウェブサーバ２０は、先頭ページから１ページずつ順次、情報処理端末機１０の表示部１７にウェブページを表示させるのみならず、ユーザの選択に応じて、該当するウェブページを直接表示させることもできる。なお、ウェブサーバ２０は、この場合においても、ＣＰＵ１１の制御のもとに、恰も雑誌をページ毎に手めくりするのと同様の視覚効果を付与しながら、該当するウェブページを情報処理端末機１０の表示部１７に表示させるのが望ましい。
【００３６】
以上説明したように、本発明の実施の形態として示すウェブサイト提供システムにおいては、雑誌型ウェブページを定期的に刊行し、情報処理端末機１０に対して閲覧可能に提供することにより、既存の雑誌のようにある程度決められたジャンルにおける新たな内容を定期的に紹介することができることから、雑誌のような購読の楽しみを維持しつつ、ウェブサイトを介して所望の情報を適切に取得する利便をユーザに提供することができる。特に、ウェブサイト提供システムにおいては、ディジタル情報からなるウェブページを提供することから、記事等を構成するテキスト文書に付随させる画像として、静止画像のみならず動画像等を掲載することが可能となり、既存の雑誌よりも表現力に優れたコンテンツを提供することができる。
【００３７】
また、ウェブサイト提供システムにおいては、上述したように、登録されたユーザに対してのみ、雑誌型ウェブページの閲覧を許可する。すなわち、ウェブサーバ２０は、ユーザに関する情報を参照可能に登録している。したがって、ウェブサイト提供システムにおいては、雑誌型ウェブページを介してアンケートへの回答やプレゼントや懸賞等の景品応募を行わせる付加的なサービスを提供する際に、情報処理端末機１０を介してアンケート及び／又は景品応募がなされるのに応じて、登録されたユーザに関する情報を参照することができる。これにより、ウェブサイト提供システムにおいては、既存の雑誌であれば、アンケートへの回答や景品応募を行う際に、その都度、当該雑誌に付属しているハガキに記入したり、当該雑誌に記載されているアドレスを入力することによってアンケートへの回答や景品応募を行うためのウェブサイトにアクセスしたりする必要があるところ、一度登録さえすれば、そのような煩わしい作業をユーザに強いる必要がなく、付加的なサービスを当該ユーザに提供することができる。また、ウェブサイト提供システムにおいては、アンケートへの回答や景品応募を行う際に、ユーザの個人情報をその都度入力させないことにより、セキュリティの確保も図ることができる。
【００３８】
なお、本発明は、上述した実施の形態に限定されるものではない。例えば、上述した実施の形態では、登録されたユーザが自発的に雑誌型ウェブページを提供するウェブサイトにアクセスして閲覧するものとして説明したが、本発明は、雑誌型ウェブページの最新号が刊行される度に、その旨をユーザに通知するようにしてもよい。具体的には、ウェブサーバ２０は、電子メール等の手段を介して、登録されたユーザが所持する情報処理端末機１０に対してその旨を通知すればよい。このとき、ウェブサーバ２０は、雑誌型ウェブページにアクセスするためのＵＲＬ（Uniform Resource Locator）等を通知内容に記載することにより、ユーザの便宜の向上を図ることができるとともに、アクセス回数の増加を図ることができる。
【００３９】
また、本発明においては、雑誌型ウェブページの閲覧のみならず、ユーザの所望に応じて、当該雑誌型ウェブページを１つのファイルとしてユーザに提供するようにしてもよい。具体的には、ウェブサーバ２０は、先に図３に示した紹介用ウェブページ等に、雑誌型ウェブページの最新号やバックナンバーをファイルとしてダウンロードさせるためのダウンロードボタン５５を設けておき、このダウンロードボタン５５が情報処理端末機１０を介して選択されるのに応じて、ＣＰＵ１１の制御のもとに、雑誌型ウェブページを構成する複数のウェブページを結合して例えばＰＤＦ（Portable Document Format）形式等からなる１つのファイルを作成し、作成したファイルを当該情報処理端末機１０に対してダウンロードすればよい。これにより、ウェブサイト提供システムにおいては、ユーザがオフライン時であっても雑誌型ウェブページの利便を享受することが可能となり、また、ユーザが必要に応じて、気に入った記事等をスクラップするかのような操作を行うことも可能となり、使用形態の拡大にともなう利用回数の増加を図ることができる。また、ウェブサーバ２０は、過去に刊行したバックナンバーを構成する複数のウェブページを結合して作成した１つのファイルを格納し、情報処理端末機１０からの要求に応じて、格納しているファイルを当該情報処理端末機１０に対してダウンロードすることにより、購入した雑誌を収納する本棚のような役割をウェブサーバ２０にもたせることができ、ユーザにとっては雑誌を収納する空間を確保することなく、バックナンバーを好きなときに閲覧可能に保持しているのと同様の環境を提供することが可能となる。
【００４０】
このように、本発明は、その趣旨を逸脱しない範囲で適宜変更が可能であることはいうまでもない。
【図面の簡単な説明】
【００４１】
【図１】本発明の実施の形態として示すウェブサイト提供システムの構成を説明する図である。
【図２】同ウェブサイト提供システムにおける情報処理端末機及びウェブサーバの物理的な構成を説明するブロック図である。
【図３】同ウェブサイト提供システムにおいて、情報処理端末機の表示部に表示される画面例を説明する図であって、紹介用ウェブページの画面例を説明する図である。
【図４】同ウェブサイト提供システムにおいて、情報処理端末機の表示部に表示される画面例を説明する図であって、表紙用ウェブページの画面例を説明する図である。
【図５】同ウェブサイト提供システムにおいて、情報処理端末機の表示部に表示される画面例を説明する図であって、目次用ウェブページの画面例を説明する図である。
【符号の説明】
【００４２】
１０  情報処理端末機
１１  制御部
１２  ＲＯＭ
１３  ＲＡＭ
１４  記憶部
１５  通信部
１６  入力操作制御部
１７  表示部
２０  ウェブサーバ
【図１】
2008123009.tif 000003
【図２】
2008123009.tif 000004
【図３】
2008123009.tif 000005
【図４】
2008123009.tif 000006
【図５】
2008123009.tif 000007